(57)【要約】【課題】密閉型電動圧縮機用ブラシレスモータのオイルセパレータを端板と一体化して部品の削減とオイルの分離効果を増す。【解決手段】回転子３はマグネット１６を回転子ヨーク１４に軸方向に貫通して設けたマグネット収納部に収納してなる構造の一部を貫通させて冷媒の通路としている構成であって、回転子ヨーク１４を構成する積層板とマグネット１６の保持に用いられる端板の冷媒導出側の端板１８に、オイル分離機能を持たせる事によって部品点数を減らし、オイル分離能力に優れた密閉型電動圧縮機を提供する。【選択図】図１
2005147078.tif 000002
【特許請求の範囲】
【請求項１】
積層鉄板からなり、軸方向に貫通する冷媒通路を有する略円筒形状のヨークと、前記ヨークの軸方向に延設装着され、径方向両面を保持されたマグネットと、前記ヨークの両端面に固定配置されて前記マグネットの軸方向の脱落防止を行う端板とからなる回転子を有する電動圧縮機であって、冷媒導出側に配置された端板に前記冷媒通路を通ってきた冷媒のオイルを分離するオイル分離手段を設けたことを特徴とする密閉型電動圧縮機。
【請求項２】
冷媒導出側に配置された端板のオイル分離手段は、外周部に複数の穴を有するカップ形状に成形されており、前記カップ形状部の開口側をヨーク端面に密着配置してなる請求項１記載の密閉型電動圧縮機。
【請求項３】
冷媒導出側に配置された端板のマグネット保持部とオイル分離手段が一体に形成されてなることを特徴とする請求項１または２記載の密閉型電動圧縮機。
【請求項４】
マグネットが、ヨークを軸方向に貫通するマグネット収納部に収納されてなることを特徴とする請求項１乃至３記載の密閉型電動圧縮機。
【発明の詳細な説明】
【技術分野】
【０００１】
本発明は空気調和装置や冷蔵庫などの冷凍機器に用いられ、特に回転子にマグネットを有する密閉型電動圧縮機に関するものである。
【背景技術】
【０００２】
密閉型電動圧縮機では、密閉容器底部にオイル溜りを有し、密閉容器内の差圧を利用したり、ポンプにより加圧したりすることによりオイル溜りのオイルを摺動部に供給しているが、このオイルは密閉容器内を冷媒に混合して循環するため、オイルが冷媒と一緒に密閉容器外に流出しない様に、オイル混合冷媒が回転子の中を軸方向に流れる冷媒通路を構成し、この冷媒通路出口に円盤状のオイルセパレータを配置して遠心力によりオイル分離させている。従来の密閉型電動圧縮機では、このオイルセパレータは回転子端面にスペーサを介して鋲などで固定されていた（例えば、特許文献１参照）。
【特許文献１】特開平０５−２６０６９９号公報
【発明の開示】
【発明が解決しようとする課題】
【０００３】
しかしながら、上記従来の構成では部品が増えると共に分離効果が十分大きく出来なかった。
【課題を解決するための手段】
【０００４】
本発明はこのような従来の課題を解決するものであり、密閉型電動圧縮機に用いられるブラシレスモータを構成する固定子に対応する回転子であって、該回転子はマグネットをヨークに軸方向に貫通して設けたマグネット収納部に収納してなる（以後、ＩＰＭという）構造の一部を貫通させて冷媒の通路としている構成であって、ヨークを構成する積層板とマグネットの保持に用いられる端板の冷媒導出側の該端板に、オイル分離機能を持たせる事によって部品点数を減らし、オイル分離能力に優れた密閉型電動圧縮機を提供することを目的とする。
【発明の効果】
【０００５】
本発明の密閉型電動圧縮機の回転子は、ブラシレスモータを構成する固定子に対応する回転子であって、該回転子はＩＰＭ構造の一部を貫通させて冷媒の通路としている構成である積層板とマグネットを保持に用いられる端板の冷媒導出側の該端板に、オイル分離機能を持たせる事によってオイルセパレータを必要とせず、冷媒の分散の防止と冷媒の流速の抑制及び冷媒の放出方向を制限することができるので、オイル分離効果が上がり油吐出の少ない効率のよい圧縮機を構成できる。
【発明を実施するための最良の形態】
【０００６】
第１の発明は、密閉型電動圧縮機に用いられるブラシレスモータを構成する固定子に対応する回転子であって、該回転子は積層鉄板からなるＩＰＭ構造の一部を貫通させて冷媒の通路としている構成である積層板とマグネットを保持に用いられる端板の冷媒導出側の該端板に、オイル分離機能を持たせ従来から別付けされていたオイルセパレータを削減した。
【０００７】
第２の発明は、特に第１の発明の回転子において、オイル分離機能を持った端板を皿状に成型して冷媒の分散を抑え、該皿の円周側の開口部を複数の穴により構成して冷媒の流速を抑え且つ確実に外周の固定子巻線端部向かって放出出来るようにした。
【０００８】
以下本発明の実施の形態について図面を参照して説明する。なお、この実施の形態によって本発明が限定されるものではない。
【０００９】
（実施の形態１）
図１は本発明の第１の実施の形態の密閉型電動圧縮機のブラシレスモータの回転子の構成を説明する図である。
【００１０】
図において、１４は積層板からなる回転子ヨーク、１５は前記回転子ヨーク１４に設けられた貫通穴、１６は前記回転子ヨーク１４の挿入穴に挿入されたマグネット、１７は端板、１８はオイル分離機能を有する端板、１９は前記端板１８の円周方向に設けられた複数の穴からなる開口部、２０、２１はバランスウエイトですべてがカシメピン２２により一体に固着されている。
【００１１】
図２は本発明の第１の実施の形態の密閉型電動圧縮機の断面図を示す。
【００１２】
１は固定子で胴ウシェル６に絞まりバメ固定され、２は回転子で圧縮機のメカ部３の回転軸４に固定されている。５は軸受、７，８は上下シェルで、９はアキューム、１０は吐出管、１１は電源用端子、１２は冷媒ガイド、１３は前記固定子１の巻線端部である。
【００１３】
以上の構成による本発明の回転子２周りの冷媒の流れと作用を図３に基づいて説明する。
【００１４】
図において、メカ部から吐出下冷媒は、冷媒ガイド１２によって矢印の様に前記回転子３のバランスウエイト２０の内面に導入され、回転子３の貫通穴１５の導入口を通って導出口から端板１８に到り端板１８の皿状空間に集められ、側面に設けられた開口部１９から外周の固定子巻線の端部に向かって放出される。
【００１５】
かかる構成にしたことによって、従来の構成に比べて本発明の回転子はオイルセパレータ必要とせず、また貫通口から導出された冷媒は端板１８の皿状空間に集められるので、冷媒の分散を防ぐことができ、且つ該端板１８の円周上の開口部１９を複数の穴で構成することによって冷媒の流速が抑えられ油が分離しやすくなる。また冷媒の放出方向を制限することで確実に固定子の巻線端部１３に当て油を分離することができる。
【産業上の利用可能性】
【００１６】
以上のように本発明における密閉型電動圧縮機のブラシレスモータの回転子は、オイル吐出量を低く抑えることが可能となるので、空気調和機や冷蔵庫等の冷凍機器に適用できる。
【図面の簡単な説明】
【００１７】
【図１】本発明の第１の実施の形態の密閉型電動圧縮機のブラシレスモータの回転子の分解組立図
【図２】本発明の第１の実施の形態の密閉型電動圧縮機の断面図
【図３】本発明のブラシレスモータの回転子周りの冷媒の流れを説明する図
【図４】従来の密閉型電動圧縮機のブラシレスモータの回転子の分解組立図
【符号の説明】
【００１８】
１  固定子
２  回転子
３  メカ部
４  回転軸
５  軸受
６  胴シェル
７  上シェル
８  下シェル
９  アキューム
１０  吐出管
１１  電源端子
１２  冷媒ガイド
１３  固定子巻線端部
１４  回転子ヨーク
１５  貫通穴
１６  マグネット
１７  端板
１８  端板
１９  開口部
２０  バランスウエイト
２１  バランスウエイト
２２  クランプピン
２３  オイルセパレータ
【図１】
2005147078.tif 000003
【図２】
2005147078.tif 000004
【図３】
2005147078.tif 000005
【図４】
2005147078.tif 000006